(57)【要約】【課題】ゴム製ガスケットが合成樹脂製カバー本体の所定部位に正確に一体固着されたガスケット付カバー部材と、その製造方法を提供する。【解決手段】覆蓋対象部材１に対して締結により合体覆蓋される合成樹脂製のガスケット付カバー部材２であって、合成樹脂の成型体からなるカバー本体２０と、カバー本体２０の周縁部２１であって、覆蓋対象部材１との合体部２１ａに固着一体とされたゴム製の環状ガスケット３とよりなる。環状ガスケット３は、ゴム材の加硫成型体からなる環状ガスケット本体３０と、ガスケット本体３０の周方向に沿ってゴム材の加硫成型と共に一体固着された環状の芯金３１とよりなる。環状ガスケット３は、カバー本体２０の合成樹脂による射出成型時にインサートされて、カバー本体２０の合体部２１ａに固着一体とされる。【選択図】図１
2010076345.tif 000002
【特許請求の範囲】
【請求項１】
覆蓋対象部材に対して締結により合体覆蓋される合成樹脂製のガスケット付カバー部材であって、
合成樹脂の成型体からなるカバー本体と、該カバー本体の周縁部であって、前記覆蓋対象部材との合体部に固着一体とされたゴム製の環状ガスケットとよりなり、
前記環状ガスケットは、ゴム材の加硫成型体からなる環状ガスケット本体と、該ガスケット本体の周方向に沿って前記ゴム材の加硫成型と共に一体固着された環状の芯金とよりなることを特徴とするガスケット付カバー部材。
【請求項２】
請求項１に記載のガスケット付カバー部材において、
前記カバー本体は、事前に芯金と共に加硫一体成型された前記ガスケットを、金型内にインサートして、該ガスケットと共に合成樹脂の射出成型により一体に形成されたものであることを特徴とするガスケット付カバー部材。
【請求項３】
請求項２に記載のガスケット付カバー部材において、
前記環状ガスケットにおける前記芯金の一部が、前記カバー本体の表面側に露出していることを特徴とするガスケット付カバー部材。
【請求項４】
覆蓋対象部材に対して締結により合体覆蓋されるガスケット付カバー部材の製造方法であって、
ゴム材の加硫成型体からなるガスケット本体と、該ガスケット本体の周方向に沿って前記加硫成型と共に一体固着した芯金とよりなるゴム製の環状ガスケットを準備し、該ガスケットを分割金型の一方の金型の所定部位に配置し、他方の金型を型締めして、両金型で形成される所定のカバー形状のキャビティ内に合成樹脂を射出して成型することを特徴とするガスケット付カバー部材の製造方法。
【請求項５】
請求項４に記載のガスケット付カバー部材の製造方法において、
前記芯金は、前記一方の金型の所定部位に対する前記ガスケットの配置状態で、前記ガスケット本体の上部に露出状態で位置するよう該ガスケット本体に一体とされていることを特徴とするガスケット付カバー部材の製造方法。
【請求項６】
請求項５に記載のガスケット付カバー部材の製造方法において、
前記他方の金型は、前記一方の金型に型締めされたとき、該一方の金型の所定部位に配置された前記ガスケットにおける芯金の上面の一部に接するような形状とされていることを特徴とするガスケット付カバー部材の製造方法。
【発明の詳細な説明】
【技術分野】
【０００１】
本発明は、内燃機関におけるタイミングベルトカバー、ウォータインレットカバー、ウォータアウトレットカバー、シリンダヘッドカバー或いはオイルパン、その他の産業機械用のカバー部材であって、覆蓋対象部材との合体部にガスケットを一体に備えた合成樹脂製のガスケット付カバー部材、及びその製造方法に関する。
【背景技術】
【０００２】
近時、自動車用内燃機関等においては、軽量化及び低燃費化の為に、前記カバー部材として合成樹脂の成型体が広く用いられるようになった。このようなカバー部材は、覆蓋対象部材（シリンダヘッド等）に対してボルト等の締結によって合体覆蓋されるが、この合体部にはゴム製等のガスケットが介在される。特許文献１及び特許文献２には、合成樹脂製のカバー部材とガスケットとが別体で、覆蓋対象部材との締結時に、カバー部材の前記合体部に形成された溝にガスケットを装着するようにしたカバー部材が開示されている。そして、内燃機関等の組立工程の合理化の為、カバー部材とガスケットとを事前に一体としたものが求められようになり、特許文献１乃至特許文献３には、ガスケットを一体に備える合成樹脂製シリンダヘッドカバー及びその製造（成形）方法の例が開示されている。
【特許文献１】実開昭５８−１１１４６７号公報
【特許文献２】実開平５−６６２５２号公報
【特許文献３】実開昭６３−１１５５６４号公報
【特許文献４】特開平７−２０８２６１号公報
【特許文献５】特開２００１−３２２１４１号公報
【発明の開示】
【発明が解決しようとする課題】
【０００３】
特許文献３には、事前に形成された合成樹脂製カバー本体を金型内に配置し、アクリルゴムを射出成型してゴム製シール部（ガスケット）を加硫形成することが記載されている。この場合、合成樹脂の成型体をインサートして成型することになるから、ゴムの高い加硫温度（１８０〜２００℃）に接することになり、その為、合成樹脂の成型体が劣化する懸念がある。特許文献４及び特許文献５では、ゴム製ガスケット（シール材）を事前に加硫成型し、金型内にこのガスケットをインサートし、合成樹脂を射出成型してカバー部材を形成している。この場合は、ガスケットが事前に成型されている為、ゴムの加硫温度が合成樹脂のカバー部材に影響することはない。
【０００４】
しかし、事前に成型されたガスケットをインサートしてカバー部材を樹脂成型する場合、ガスケットが柔軟性を有している為、金型内の所定部位に配置する際のハンドリング性が悪く、これがカバー部材の製造効率を低下させる原因となる。また、合成樹脂を金型内に射出させる際の射出圧によって、ガスケットが移動したり倒れたりすることがあり、ガスケットが位置ずれして所定部位に正確に一体化されないことがある。特に、合成樹脂の成型体であるカバー本体とガスケットとは、ボリューム的に差が大であるから、合成樹脂の射出圧による影響が強く、このような位置ずれを起こす可能性がより高くなる。特許文献５では、カバー体の成型時におけるこのようなガスケットの位置ずれを防止する為、金型内のガスケット挿入溝の両側部に立ち上がり部を形成している。しかし、ゴム製のガスケットは、柔軟であるが故に形状保持性が乏しく、その為、特許文献５に開示された成型方法の場合でも、前記射出圧によってガスケットが浮き上がってその下辺が波打ち、覆蓋対象部材に締結合体させた際のシール性が損なわれることがある。
【０００５】
本発明は、前記実情に鑑みなされたものであり、ゴム製ガスケットが合成樹脂製カバー本体の所定部位に正確に一体固着されたガスケット付カバー部材と、その製造方法を提供することを目的としている。
【課題を解決するための手段】
【０００６】
第１発明に係るガスケット付カバー部材は、覆蓋対象部材に対して締結により合体覆蓋される合成樹脂製のガスケット付カバー部材であって、合成樹脂の成型体からなるカバー本体と、該カバー本体の周縁部であって、前記覆蓋対象部材との合体部に固着一体とされたゴム製の環状ガスケットとよりなり、前記環状ガスケットは、ゴム材の加硫成型体からなる環状ガスケット本体と、該ガスケット本体の周方向に沿って前記ゴム材の加硫成型と共に一体固着された環状の芯金とよりなることを特徴とする。
【０００７】
第１発明に係るガスケット付カバー部材において、前記カバー本体が、事前に芯金と共に加硫一体成型された前記ガスケットを、金型内にインサートして、該ガスケットと共に合成樹脂の射出成型により一体に形成されたものとしても良い。また、前記環状ガスケットにおける前記芯金の一部が、前記カバー本体の表面側に露出しているものとしても良い。
【０００８】
第２発明に係るガスケット付カバー部材の製造方法は、覆蓋対象部材に対して締結により合体覆蓋されるガスケット付カバー部材の製造方法であって、ゴム材の加硫成型体からなるガスケット本体と、該ガスケット本体の周方向に沿って前記加硫成型と共に一体固着した芯金とよりなるゴム製の環状ガスケットを準備し、該ガスケットを分割金型の一方の金型の所定部位に配置し、他方の金型を型締めして、両金型で形成される所定のカバー形状のキャビティ内に合成樹脂を射出して成型することを特徴とする。
【０００９】
第２発明に係るガスケット付カバー部材の製造方法において、前記芯金が、前記一方の金型の所定部位に対する前記ガスケットの配置状態で、前記ガスケット本体の上部に露出状態で位置するよう該ガスケット本体に一体とされているものとしても良い。また、この場合、前記他方の金型は、前記一方の金型に型締めされたとき、該一方の金型の所定部位に配置された前記ガスケットにおける芯金の上面の一部に接するような形状とされているものとしても良い。
【発明の効果】
【００１０】
第１発明に係るガスケット付カバー部材によれば、前記カバー本体の周縁部であって、前記覆蓋対象部材との合体部に、ゴム製の環状ガスケットが固着一体とされているから、覆蓋対象部材の組立現場にそのまま搬入される。従って、当該覆蓋対象部材の組立製造の効率化が図られる。そして、覆蓋対象部材に締結合体させたときには、該ゴム製ガスケットが両合体部間に圧縮状態で介在される。これにより、覆蓋対象部材が本カバー部材によりシールされた状態で覆蓋される。そして、前記環状ガスケットは、ゴム材の加硫成型体からなる環状ガスケット本体の周方向に沿って、該ゴム材の加硫成型と共に一体固着された環状の芯金を含むから、芯材によって形状保持された状態でカバー本体に固着一体とされている。従って、ガスケットはカバー部材の所定部位に対して精度良く固着一体化されており、所期の意図したシール性が確実に得られる。
【００１１】
第１発明に係るガスケット付カバー部材において、前記カバー本体が、事前に芯金と共に加硫一体成型された前記ガスケットを、金型内にインサートして、該ガスケットと共に合成樹脂の射出成型により一体に形成されたものとした場合、芯金の形状保持作用により、合成樹脂の射出圧の影響を受けにくく、所定のインサート位置に保持された状態でインサート成型がなされる結果、ガスケットが前記カバー本体の合体部に、より精度良く固着一体化されたものとされる。また、この場合、前記環状ガスケットにおける前記芯金の一部が、前記カバー本体の表面側に露出しているものとすれば、前記インサート成型における金型の一部が芯金の露出させるべき部位に接触するよう形成されることになる。その結果、インサート成型の際に金型が直接芯金に当接し、芯金と共にガスケットを拘束することになり、前記射出圧の影響を効果的に回避できる。従って、本ガスケット付カバー部材は、ガスケットが前記合体部に、より精度良く固着一体化されたものとされる。
【００１２】
第２本発明に係るガスケット付カバー部材の製造方法によれば、前記ガスケットが事前にゴム材を芯金と共に加硫一体成型されたものであるから、該ガスケットを一方の金型の所定部位に配置する際、芯金の形状保持機能によりハンドリング性が良く、一方の金型の所定部位に対する配置が容易且つ確実になされる。また、他方の金型を型締めして、キャビティ内に合成樹脂を射出して成型する際に、この芯金の形状保持機能により、ガスケットが射出圧によって位置移動したり、倒れたりすることが防止される。従って、得られたガスケット付カバー部材においては、ガスケットがカバー部材における前記合体部に対して精度良く固着一体化されたものとされる。
【００１３】
第２発明に係るガスケット付カバー部材の製造方法において、前記芯金が、前記一方の金型の所定部位に対する前記ガスケットの配置状態で、前記ガスケット本体の上部に露出状態で位置するよう該ガスケット本体に一体とされているものとした場合、他方の金型の芯金に対する拘束性により、射出圧によるガスケットの移動、倒れ、或いは浮き上がり抑止作用が効果的に発現される。特にこの場合、他方の金型が、前記一方の金型に型締めされたとき、該一方の金型の所定部位に配置された前記ガスケットにおける芯金の上面の一部に接するような形状とされているものとすれば、他方の金型の一部が芯金に直接当接してガスケットを一方の金型の所定部位に安定保持させ、前記抑止作用がより効果的に発現された状態で射出成型がなされ、シール性能において極めて信頼性の高いガスケット付カバー部材が得られる。
【発明を実施するための最良の形態】
【００１４】
以下に本発明の最良の実施の形態について、図面に基づいて説明する。図１は第１発明に係るガスケット付カバー部材の一実施形態の使用状態を示す要部の縦断面図、図２は同ガスケット付カバー部材の要部の部分破断斜視図、図３及び図４はガスケット付カバー部材の他の実施形態の図２と同様図、図５（ａ）（ｂ）（ｃ）は第２発明に係るガスケット付カバー部材の製造方法の一実施形態であって、その成型過程を示す要部の断面図である。
【００１５】
図１は、例えば、自動車用内燃機関におけるシリンダヘッド（覆蓋対象部材）１に、シリンダヘッドカバー（ガスケット付カバー部材）２を、ボルト４によって締結した例を示している。該カバー部材２は、合成樹脂の成型体からなるカバー本体２０と、該カバー本体２０の周縁部に形成されたフランジ部２１の下面であって、前記シリンダヘッド１との合体部２１ａに固着一体とされたゴム製の環状ガスケット３とよりなる。フランジ部２１には、その周方向に沿って適宜間隔毎に膨出部２１ｂが形成され、この膨出部２１ｂにおいて、前記ボルト４をして、シリンダヘッド１に締結合体され、これにより、シリンダヘッド１の上端開口部１ａが覆蓋される。この締結合体状態では、環状ガスケット３の後記するゴム製のガスケット本体３０が、２点鎖線の状態から実線の状態に圧縮され、この圧縮に伴う復元弾力により、前記カバー本体２０の合体部２１ａと、シリンダヘッド１の上端面１ｂとの間がシールされる。
【００１６】
環状ガスケット３は、ゴム材の加硫成型体からなる環状ガスケット本体３０と、該ガスケット本体３０の周方向に沿って前記ゴム材の加硫成型と共に一体固着された環状の芯金３１とよりなる。該ゴム製の環状ガスケット本体３０は、該芯金３１の下面に固着一体とされており、該芯金３１によって環状ガスケット本体３０が所期の形状に保持される。該芯金３１の内周部分には、カバー本体２０の立上壁部に沿った起立部３１ａが形成されており、該起立部３１ａのリブ作用により、芯金３１が補強され、芯金３１の環状ガスケット本体３０に対する形状保持機能がより向上する。起立部３１ａは、形状保持機能を向上させる点で有効であり、望ましく採用されるが、芯金３１自体の性状によっては、後記する板金加工性を勘案するとなくても良い。
【００１７】
環状ガスケット３は、環状ガスケット本体３０と芯金３１とが加硫成型一体とされた状態で、カバー本体２０の成型金型にインサートされ、合成樹脂の射出成型により、カバー本体２０と一体とされる。この成型により、該環状ガスケット３は、芯金３１及びガスケット本体３０の上部が、前記フランジ部２１によって上から包持される状態で固着一体に支持されている。即ち、図２に示すように、芯金３１は、フランジ部２１の樹脂層と、ガスケット本体３０のゴム層との間に完全に埋設された状態とされている。
【００１８】
前記カバー本体２０は、硬質合成樹脂の成型体からなるが、この合成樹脂材としては、ポリアミド（ＰＡ６，ＰＡ６６，ＰＰＡ，ＰＡＭＸＤ６など）、ポリアセタール、ポリカーボネート、ＡＢＳ，ＰＰＳ，ＰＢＴ等から選ばれたいずれかの合成樹脂材が好ましく採用される。また、ガスケット本体３０を構成するゴム材としては、ＮＢＲ，Ｈ−ＮＢＲ，ＡＣＭ，ＡＥＭ，ＦＫＭ，ＥＰＤＭ及びＶＭＱ等から選ばれたいずれかのゴム材が好ましく採用される。更に、芯金３１としては、アルミニウム板、ステンレス鋼板、その他の鋼板等を、板金加工したものが用いられる。
【００１９】
このような構成のガスケット付カバー部材２は、エンジン等の組立工場に搬入され、シリンダヘッド１に締結により合体覆蓋される。この場合、ガスケット３が一体固着されているから、ガスケット３を装着する作業が不要とされ、従って、エンジン等の組立効率の向上が図られる。また、ガスケット３は、カバー本体２０のフランジ部２１に固着一体とされているから、搬送時等において不意に離脱するようなことがない。そして、ガスケット３を構成する芯金３１によってフランジ部２１が強化され、且つ、その形状保持性によって、シリンダヘッド１との間の信頼性の高いシール性が得られる。しかも、ガスケット３は、ガスケット本体３０の加硫成型の際に芯金３１を一体に備え、この状態でカバー本体２０の射出成型の際にインサートされ、カバー本体２０に固着一体とされたものであるから、芯金３１の形状保持性によって、カバー本体２０の合体部２１ａにおける所定部位に精度良く一体とされており、所期の意図したシール性が確実に得られる。
【００２０】
因みに、前記特許文献１には、樹脂成型品（ロッカカバー）のガスケット装着用の溝を補強する為の金属製溝型材を該樹脂成型品に成型一体とすること、また、特許文献２には、合成樹脂製のヘッドカバーのゴムパッキン（ガスケット）挿入用溝に放熱部を備えた金属インサートを一体に設けること、がそれぞれ開示されている。これらは、いずれも、ガスケットがカバー部材に対して一体とされた状態で覆蓋対象部材（エンジンブロック、シリンダヘッド）に締結されるものではなく、また、金属材が、ガスケットとは別体でカバー側に一体とされたものであるから、ガスケット自体を形状保持する機能を奏するものではない。
【００２１】
図３は、他の実施形態のガスケット付カバー部材を示している。図１及び図２に例示したガスケット付カバー部材２では、ガスケット３を構成する芯金３１が、フランジ部２１の樹脂層と、ガスケット本体３０のゴム層との間に完全に埋設された状態とされている。従って、芯金３１の上面がフランジ部２１によって覆われ、露出する部分が一切存在しないが、この実施形態のガスケット付カバー部材２では、フランジ部２１の表面側に、その周方向に沿って適宜間隔毎に刳貫部２１ｃが形成され、この刳貫部２１ｃにおいて、芯金３１の上面の一部が露出している。このように、フランジ部２１の表面側に刳貫部２１ｃを形成するには、カバー本体２０の成型の際、成型型をこの対応部分で芯金３１に接するような形状とすることによって可能とされる。従って、成型方法（製造方法）の詳細は後記するが、ガスケット３を下金型の所定部位に装着し、上金型を型締めして樹脂を射出成型する際、芯金３１の上面の一部に上金型が当接した状態とされる。この上金型の上からの拘束作用によって、射出圧によるガスケット３の移動、倒れ或いは浮き上がりが抑止され、ガスケット３がカバー本体２０の前記所定部位に対して精度良く一体固着される。
その他の構成及び作用は、前記の実施形態と同様であるから、共通部分に同一の符号を付し、その説明を割愛する。
【００２２】
図４は、更に他の実施形態のガスケット付カバー部材であって、図３に示す実施形態の変形例に相当するものである。即ち、この例のガスケット付カバー部材２においては、芯金３１の内周側及びガスケット本体３０の内周側が、カバー本体２０の周縁部２１において固着一体とされ、不図示の前記ボルト締結用膨出部を除いて、芯金３１の上面及びガスケット本体３０の外周部が露出している。この場合も、カバー本体２０の成型用上金型がこの対応部分で芯金３１に接するような形状とされ、これにより、射出圧によるガスケット３の移動、倒れ或いは浮き上がりが抑止され、ガスケット３がカバー本体２０の前記所定部位に対して精度良く一体固着される。この場合、図３の例に比べて、カバー本体２０とガスケット３との固着力は弱くなるが、上金型のガスケット３に対する押止拘束力が強く、ガスケット３がカバー本体２０の前記所定部位に対してより精度良く一体固着される。
その他の構成及び作用は、前記の実施形態と同様であるから、ここでも共通部分に同一の符号を付し、その説明を割愛する。
【００２３】
図５（ａ）（ｂ）（ｃ）は、図３に示すガスケット付カバー部材２の成型方法（製造方法）における成型過程を示している。図５（ａ）に示すように、下金型（分割型の一方の金型、固定型）５には、ガスケット装着用の環状溝５ａが形成され、該環状溝５ａの両側部には立ち上がり部５ｂ、５ｂが形成されている。該環状溝５ａの内周側には、カバー本体２０の内面を形成する為の山形のキャビティ壁５ｃが形成されている。そして、ガスケット本体３０の上面周方向に沿ってゴム材の加硫成型と共に芯金３１を一体固着してなる環状ガスケット３を事前に準備し、白抜矢示のように上方より前記環状溝５ａにガスケット本体３０を挿入させる。この時、ガスケット３は、芯金３１によって形状保持がなされているから、ゴム材単独のものに比べてハンドリング性が良く、環状溝５ａに対して容易且つ正確に装着させることができる。また、環状溝５ａの両側部には、立ち上がり部５ｂ、５ｂが形成されているから、ガスケット本体３０が環状溝５ａに安定的に挿入保持される。
【００２４】
次いで、図５（ｂ）に示すように、上金型（分割型の他方の金型、可動型）６を下金型５の上に合体させ、型締めする。上金型６は、カバー本体２０の外面を形成する為のドーム形のキャビティ壁６ａと、該キャビティ壁６ａの裾部より外方に延出されるフランジ部用キャビティ壁６ｂとを備える。該フランジ部用キャビティ壁６ｂの下面には、その周方向に適宜間隔毎に突部６ｃが形成され、上金型６を型締めした際、この突部６ｃの下面が環状溝５ａに装着されたガスケット３における芯金３１の上面に当接する。従って、環状溝５ａに装着されたガスケット３が多少浮き上がった状態であっても、この上金型６の当接押止作用によって、下金型５の所定部位としての環状溝５ａに、ガスケット３がしっかりと固定保持される。
【００２５】
図５（ｂ）に示すように上金型６を下金型５に型締めした状態で、３００℃程度に加熱溶融された合成樹脂材を、両金型５，６で形成されるキャビティ５６内に不図示の注入ゲートより射出注入して図３（ｃ）に示すように射出成型する。このキャビティ５６は、所定のカバー形状をなし、フランジ部２１においては、芯金３１及びガスケット本体３０の上部を包持するような形状とされている。そして、この射出成型の間、上金型６の前記突部６ｃが芯金３１の上面に当接して、ガスケット本体３０が環状溝５ａ内に装着保持されているから、射出圧がガスケット３に作用しても、その押止拘束作用と、環状溝５ａ及びその両側部の立ち上がり部５ｂ、５ｂの保持作用とが相俟って、ガスケット３が移動したり、倒れたり、或いは浮き上がったりすることがない。従って、脱型して得られる図３に示すようなガスケット付カバー部材２においては、ガスケット３が、フランジ部２１の下面（合体部２１ａ）における所定部位に、ガスケット本体３０の下辺が波打つようなこともなく、精度良く強固に固着一体とされる。得られたガスケット付カバー部材２を、図１に示すようにシリンダヘッド（覆蓋対象部材）１に締結により合体させた場合、シール性に優れた合体覆蓋状態が維持される。
【００２６】
尚、前記実施形態では、内燃機関におけるシリンダヘッド１を覆蓋対象部材とし、ガスケット付カバー部材２がシリンダヘッドカバーである例について述べたが、タイミングベルトカバー、ウォータインレットカバー、ウォータアウトレットカバー、或いはオイルパン、その他の産業機械用のカバー部材であっても良い。オイルパンは、シリンダブロックの下部に装着されるものであるが、シリンダブロックの下部を覆うものであるから、カバー部材の概念に含ませることができる。また、図５（ａ）（ｂ）（ｃ）に示す製造方法は、図３に示すガスケット付カバー部材２を対象とするものであるが、上金型６の形状を適宜選択することにより、図２或いは図４に示すガスケット付カバー部材２の製造にも適用し得ることは言うまでもない。更に、ガスケット本体３０の断面形状や、下金型５の環状溝５ａの断面形状等も図例のものに限定されるものではない。また、成型用分割金型が上金型と下金型とにより構成される例について述べたが、横向きで組み合わされる分割金型であっても良く、加えて、成型物の形状によっては、３個以上の金型によって構成されるものであっても良い。
【図面の簡単な説明】
【００２７】
【図１】第１発明に係るガスケット付カバー部材の一実施形態の使用状態を示す要部の縦断面図である。
【図２】同ガスケット付カバー部材の要部の部分破断斜視図である。
【図３】ガスケット付カバー部材の他の実施形態の図２と同様図である。
【図４】ガスケット付カバー部材の更に他の実施形態の図２と同様図である。
【図５】（ａ）（ｂ）（ｃ）は第２発明に係るガスケット付カバー部材の製造方法の一実施形態であって、その成型過程を示す要部の断面図である。
【符号の説明】
【００２８】
１      シリンダヘッド（覆蓋対象部材）
２      シリンダヘッドカバー（ガスケット付カバー部材）
２１    フランジ部（周縁部）
２１ａ  合体部
３      環状ガスケット
３０    環状ガスケット本体
３１    芯金
５      下金型（一方の金型）
５ａ    環状溝（所定部位）
５６    キャビティ
６      上金型（他方の金型）
６ｃ    突部
【図１】
2010076345.tif 000003
【図２】
2010076345.tif 000004
【図３】
2010076345.tif 000005
【図４】
2010076345.tif 000006
【図５】
2010076345.tif 000007